(57)【要約】【課題】水和反応系の化学蓄熱装置において装置全体を小型化できる化学蓄熱装置を提案することを課題とする。【解決手段】加熱対象を加熱する化学蓄熱装置１０であって、水を供給すると水和反応により発熱しかつ加熱すると脱水反応により吸熱して水蒸気を放出する蓄熱材を有する反応器１１と、水を貯蔵する貯蔵器１２と、反応器１１と貯蔵器１２とを連通し、反応器１１と貯蔵器１２との間で水を流通させる接続管１３と、接続管１３に設けられ、水の流路を開閉する第１開閉弁１４と、反応器１１の内部と外部との連通と非連通を切り替える第２開閉弁１６とを備え、貯蔵器１２は反応器１１よりも高い位置に配置され、第１開閉弁１４が開かれた場合に貯蔵器１２から反応器１１に水が供給され、第２開閉弁１６が開かれた場合に反応器１１で発生した水蒸気が外部に排出される。【選択図】図１
2016194391.tif 000002
【特許請求の範囲】
【請求項１】
加熱対象を加熱する化学蓄熱装置であって、
水を供給すると水和反応により発熱し、かつ、加熱すると脱水反応により吸熱して水蒸気を放出する蓄熱材を有する反応器と、
前記水を貯蔵する貯蔵器と、
前記反応器と前記貯蔵器とを連通し、前記反応器と前記貯蔵器との間で前記水を流通させる接続管と、
前記接続管に設けられ、前記水の流路を開閉する第１開閉弁と、
前記反応器の内部と前記反応器の外部との連通と非連通を切り替える第２開閉弁と、
を備え、
前記貯蔵器は、前記反応器よりも高い位置に配置され、
前記第１開閉弁が開かれた場合に前記貯蔵器から前記反応器に前記水が供給され、
前記第２開閉弁が開かれた場合に前記反応器で発生した前記水蒸気が外部に排出される、化学蓄熱装置。
【請求項２】
前記反応器に取り付けられ、前記反応器で発生した前記水蒸気を前記反応器の外部に排出する排出管を備え、
前記第２開閉弁は、前記排出管に設けられている、請求項１に記載の化学蓄熱装置。
【請求項３】
前記排出管は、前記反応器で発生した前記水蒸気を前記反応器よりも低い位置で下方に向けて排出するように取り付けられている、請求項２に記載の化学蓄熱装置。
【請求項４】
前記蓄熱材は、前記反応器内において鉛直方向に沿って延在するように配置され、
前記貯蔵器から供給された前記水は、前記反応器の上部から下部に向かって流れる、請求項１〜請求項３の何れか一項に記載の化学蓄熱装置。
【請求項５】
前記反応器は、前記蓄熱材に隣接配置されると共に前記加熱対象と前記蓄熱材との間で熱交換を行う熱交換部を備える、請求項１〜請求項４の何れか一項に記載の化学蓄熱装置。
【請求項６】
前記反応器は、複数個の前記蓄熱材と複数個の前記熱交換部とを備え、前記蓄熱材と前記熱交換部とが交互に配置されている、請求項５に記載の化学蓄熱装置。
【請求項７】
前記蓄熱材は、酸化カルシウムである、請求項１〜請求項６の何れか一項に記載の化学蓄熱装置。
【発明の詳細な説明】
【技術分野】
【０００１】
本発明は、化学蓄熱装置に関する。
【背景技術】
【０００２】
従来の化学蓄熱装置としては、特許文献１に記載されているものが知られている。特許文献１に記載の化学蓄熱装置は、水和反応系の蓄熱材を有する反応器と、水を貯蔵するタンクと、反応器に供給する水蒸気を生成する蒸発器と、反応器において蓄熱材から脱水された水蒸気を凝縮する凝縮器と、タンクに貯蔵されている水を蒸発器へ送るポンプと、水及び水蒸気を反応器とタンクとの間で循環させるための配管とを備えている。
【先行技術文献】
【特許文献】
【０００３】
【特許文献１】特開２０１４−１２５１３３号公報
【発明の概要】
【発明が解決しようとする課題】
【０００４】
上記した従来の化学蓄熱装置では、水蒸気と反応して発熱する蓄熱材を用いているので、タンクに貯蔵している水を蒸発させる蒸発器及び水を蒸発器に送るポンプが必要となる。また、この化学蓄熱装置では、水をタンクに戻す循環システムであるので、反応器で発生した水蒸気を水に凝縮する凝縮器が必要となる。これらにより、この化学蓄熱装置は、装置構成が複雑化し、装置全体が大型化する。
【０００５】
そこで、本発明においては、水和反応系の化学蓄熱装置において装置全体を小型化できる化学蓄熱装置を提案することを課題とする。
【課題を解決するための手段】
【０００６】
本発明の一側面に係る化学蓄熱装置は、加熱対象を加熱する化学蓄熱装置であって、水を供給すると水和反応により発熱しかつ加熱すると脱水反応により吸熱して水蒸気を放出する蓄熱材を有する反応器と、水を貯蔵する貯蔵器と、反応器と貯蔵器とを連通し、反応器と貯蔵器との間で水を流通させる接続管と、接続管に設けられ、水の流路を開閉する第１開閉弁と、反応器の内部と反応器の外部との連通と非連通を切り替える第２開閉弁とを備え、貯蔵器は、反応器よりも高い位置に配置され、第１開閉弁が開かれた場合に貯蔵器から反応器に水が供給され、第２開閉弁が開かれた場合に反応器で発生した水蒸気が外部に排出される。
【０００７】
この化学蓄熱装置では、水（液体）と水和反応して発熱する蓄熱材を用いているので、貯蔵器に貯蔵されている水を蒸発させて反応器に供給する必要がない。また、化学蓄熱装置では、貯蔵器が反応器よりも高い位置に配置されているので、重力を利用して水を反応器に供給できる。また、化学蓄熱装置では、反応器で発生した水蒸気を外部に排出する非循環システムであるので、水蒸気を凝縮して貯蔵器に戻す必要がない。これらにより、この化学蓄熱装置は、簡易な装置構成となり、装置全体を小型化できる。なお、反応器に供給された水が気化して水蒸気になった場合、蓄熱材は水蒸気と水和反応して発熱する。また、反応器で発生した水蒸気が排出中に液化して水になった場合、水を外部に排出する。
【０００８】
一実施形態の化学蓄熱装置では、反応器に取り付けられ、反応器で発生した水蒸気を反応器の外部に排出する排出管を備え、第２開閉弁は、排出管に設けられる構成としてもよい。この構成の場合、排出管によって反応器で発生した水蒸気を適切な箇所に排出できる。
【０００９】
一実施形態の化学蓄熱装置では、排出管は、反応器で発生した水蒸気を反応器よりも低い位置で下方に向けて排出するように取り付けられる構成としてもよい。この構成の場合、反応器で発生した水蒸気が排出管内で水に液化した場合でも、水が逆流して反応器側に戻ることなく、水を外部に排出できる。
【００１０】
一実施形態の化学蓄熱装置では、蓄熱材は反応器内において鉛直方向に沿って延在するように配置され、貯蔵器から供給された水は反応器の上部から下部に向かって流れる構成としてもよい。この構成の場合、反応器では、貯蔵器から供給された水が下方に流れ、蓄熱材全体に水を行き渡らせ易い。
【００１１】
一実施形態の化学蓄熱装置では、反応器は、蓄熱材に隣接配置されると共に加熱対象と蓄熱材との間で熱交換を行う熱交換部を備える構成としてもよい。この構成の場合、反応器において蓄熱材が水と水和反応して発熱すると、その熱を熱交換部により効率良く加熱対象に伝えることができる。
【００１２】
一実施形態の化学蓄熱装置では、反応器は、複数個の蓄熱材と複数個の熱交換部とを備え、蓄熱材と熱交換部とが交互に配置されている構成としてもよい。この構成の場合、熱交換部での熱交換効率が向上し、反応器での加熱効率が向上する。
【００１３】
一実施形態の化学蓄熱装置では、蓄熱材を酸化カルシウムとしてもよい。酸化カルシウムは、水との反応性に優れ、水と水和反応して発熱量も多い。
【発明の効果】
【００１４】
本発明によれば、水和反応系の化学蓄熱装置において装置全体を小型化できる。
【図面の簡単な説明】
【００１５】
【図１】一実施形態に係る化学蓄熱装置を備えた排気ガス浄化システムの概略構成図である。
【図２】図１の熱交換部付き反応器の正面図である。
【発明を実施するための形態】
【００１６】
以下、図面を参照して、本発明の実施形態に係る化学蓄熱装置を説明する。なお、各図において同一又は相当する要素については同一の符号を付し、重複する説明を省略する。
【００１７】
実施形態では、車両のエンジン（内燃機関）の排気系に設けられる排気ガス浄化システムに備えられる化学蓄熱装置に適用する。実施形態に係る排気ガス浄化システムは、エンジン（特に、ディーゼルエンジン）から排出される排気ガス（加熱対象の流体）中に含まれる有害物質（環境汚染物質）を浄化するシステムであり、触媒のＤＯＣ[Diesel Oxidation Catalyst]、ＳＣＲ[SelectiveCatalytic Reduction]とＡＳＣ[Ammonia Slip Catalyst]及びフィルタのＤＰＦ[Diesel Particulate Filter]を備えている。さらに、実施形態に係る排気ガス浄化システムは、触媒暖機用に化学蓄熱装置を備えている。
【００１８】
図１を参照して、一実施形態に係る排気ガス浄化システム１の全体構成について説明する。図１は、一実施形態に係る排気ガス浄化システム１の概略構成図である。
【００１９】
排気ガス浄化システム１は、車両Ｖに設けられ、車両Ｖのエンジン２から排出される排気ガスを浄化する。排気ガス浄化システム１は、エンジン２の排気側に接続された排気管３の上流側から下流側に向けて、ＤＯＣ（ディーゼル酸化触媒）４、ＤＰＦ（ディーゼル排気微粒子除去フィルタ）５、ＳＣＲ（選択還元触媒）６、ＡＳＣ（アンモニアスリップ触媒）７が設けられている。排気管３、ＤＯＣ４、ＤＰＦ５、ＳＣＲ６、ＡＳＣ７の内部には、エンジン２から排出された排気ガスが流れる。この排気ガスの流れる方向により、上流側及び下流側が規定される。
【００２０】
ＤＯＣ４は、排気ガス中に含まれるＨＣ、ＣＯなどを酸化する触媒である。ＤＰＦ５は、排気ガス中に含まれるＰＭを捕集して取り除くフィルタである。ＳＣＲ６は、排気管３内のＳＣＲ６の上流側にアンモニア（ＮＨ３）あるいは尿素水（加水分解してアンモニアが発生）が供給されると、アンモニアと排気ガス中に含まれるＮＯｘとを化学反応させることで、ＮＯｘを還元して浄化する触媒である。ＡＳＣ７は、ＳＣＲ６をすり抜けて下流側に流れたアンモニアを酸化する触媒である。
【００２１】
各触媒４，６，７には、環境汚染物質に対する浄化能力を発揮できる温度領域（すなわち、活性温度）がある。各触媒４，６，７の温度が活性温度よりも低くなっている場合（例えば、エンジン２の冷間始動時）、各触媒４，６，７では十分な浄化能力を発揮することができない。また、エンジン２から排出された排気ガスにより触媒を暖機する場合、エンジン２の冷間始動直後は、排気ガスの温度が比較的低温であるので、触媒を迅速に暖めることができない。そこで、排気ガス浄化システム１は、最上流の触媒であるＤＯＣ４よりも上流側で排気ガスを暖めて触媒暖機を行うために、化学蓄熱装置１０を備えている。
【００２２】
化学蓄熱装置１０は、可逆的な化学反応を利用して、外部エネルギレスで加熱対象を加熱（暖機）する装置である。具体的には、化学蓄熱装置１０は、加熱対象から供給される熱により蓄熱材から反応媒体を脱離し、脱離した反応媒体を外部に排出する。また、化学蓄熱装置１０は、反応媒体を蓄熱材に供給することで、蓄熱材と反応媒体とを化学反応（水和反応）させて化学反応時の反応熱を利用して加熱対象を暖める。特に、化学蓄熱装置１０は、水和反応系であり、反応媒体が水であり、脱離したときが水蒸気である。また、化学蓄熱装置１０は、反応媒体を循環させない非循環系のシステムである。本実施形態では、加熱対象は排気ガスである。
【００２３】
図１に加えて図２を参照して、化学蓄熱装置１０について詳細に説明する。図２は、図１の熱交換部付き反応器１１の正面図である。
【００２４】
化学蓄熱装置１０は、熱交換部付き反応器１１と、貯蔵器１２と、接続管１３と、第１開閉弁１４と、排出管１５と、第２開閉弁１６とを備えている。熱交換部付き反応器１１は、エンジン２とＤＯＣ４との間に配置されている。熱交換部付き反応器１１は、ヒータとして機能し、最上流に配置される触媒であるＤＯＣ４よりも上流側で熱交換部を介して排気ガスを加熱する。加熱により昇温された排気ガスは、下流の各触媒（ＤＯＣ４、ＳＣＲ６、ＡＳＣ７）の内部に流れる。これにより、各触媒は、暖機される。
【００２５】
熱交換部付き反応器１１について説明する。熱交換部付き反応器１１は、容器１１ａと、複数個の熱交換部１１ｂと、複数個の蓄熱材１１ｃとを備えている。図２に示すように、複数個の熱交換部１１ｂと複数個の蓄熱材１１ｃとは、交互に隣接して配置され、配列体１１ｄを形成している。この配列体の配列方向は、排気ガスの流れ方向と略直交しかつ鉛直方向と略直交する方向する方向である。配列体１１ｄの両端部（配列方向の最外部）には、熱交換部１１ｂが配置されている。したがって、熱交換部１１ｂの個数が、蓄熱材１１ｃの個数よりも１個多い。なお、図２で示す例では熱交換部１１ｂの個数を５個、蓄熱材１１ｃの個数を４個としているが、特にこれに限定されず、熱交換部１１ｂ及び蓄熱材１１ｃの個数は適宜の個数としてよい。また、配列体１１ｄの端部には、熱交換部１１ｂが配置されてもよい。
【００２６】
容器１１ａの上流側は、排気管３とテーパ管２０を介して連結されている。容器１１ａの下流側は、排気管３とテーパ管２１を介して連結されている。なお、筒状の管の内部に容器１１ａが配置され、その管の上流側が排気管３とテーパ管２０を介して連結され、下流側が排気管３とテーパ管２１を介して連結されていてもよい。
【００２７】
容器１１ａの外観形状は、直方体形状である。容器１１ａには、複数個の熱交換部１１ｂを設けるために、排気ガスの流れ方向の上流側の端面から下流側の端面を貫通する貫通孔１１ｅが複数個形成されている。貫通孔１１ｅは、断面形状が長方形状である。複数個の貫通孔１１ｅは、配列体１１ｄの配列方向に沿って一定の間隔をあけて配置されている。複数個の蓄熱材１１ｃは、容器１１ａにおける貫通孔１１ｅと貫通孔１１ｅとの間にそれぞれ収容されている。容器１１ａは、例えば、ステンレス鋼（ＳＵＳ）により形成されている。
【００２８】
容器１１ａの上端面には、貫通孔（図示せず）が形成され、この貫通孔に挿入された状態で接続管１３の一端が取り付けられている。容器１１ａ内の上端部には、接続管１３から供給される水を複数個の蓄熱材１１ｃにそれぞれ分配するための流路（図示せず）が形成されている。容器１１ａの下端面には、貫通孔（図示せず）が形成され、この貫通孔に挿入された状態で排出管１５の一端が取り付けられている。容器１１ａ内の下端部には、複数個の蓄熱材１１ｃでそれぞれ発生した水蒸気を排出管１５まで流すための流路（図示せず）が形成されている。また、容器１１ａ内には、蓄熱材２４毎に、上端部から供給された水を蓄熱材２４全体に行き渡らせると共に蓄熱材２４で発生した水蒸気を下端部まで流すための流路（図示せず）がそれぞれ形成されている。
【００２９】
熱交換部１１ｂは、配列体１１ｄの配列方向に隣り合う蓄熱材１１ｃと蓄熱材１１ｃとの間または配列方向の端部に配置されている。熱交換部１１ｂは、容器１１ａの上端部付近から下端部付近まで鉛直方向に延在している。熱交換部１１ｂは、加熱対象としての排気ガスを流通させる流路を形成すると共に、排気ガスと蓄熱材１１ｃとの間で熱交換を行う。熱交換部１１ｂは、フィン１１ｆを有している。フィン１１ｆは、排気ガスと蓄熱材２４との熱交換を促進するための部材である。フィン１１ｆは、容器１１ａの貫通孔ｅに設けられ、貫通孔１１ｅを形成している壁面に溶接又はろう付けなどにより接合されている。フィン１１ｆは、鉛直方向に沿って延び、例えば、断面形状が波状である。フィン１１ｆは、例えば、ステンレス鋼により形成されている。
【００３０】
蓄熱材１１ｃは、配列体１１ｄの配列方向に隣り合う熱交換部１１ｂと熱交換部１１ｂとの間に配置されている。蓄熱材１１ｃは、容器１１ａの上端部付近から下端部付近まで鉛直方向に延在している。蓄熱材１１ｃは、ペレット状にプレス成型されたプレス成型体である。蓄熱材１１ｃは、扁平の略直方体形状である。蓄熱材１１ｃは、反応媒体としての水が供給されると、水（但し、水が気化して水蒸気の場合もある）と化学反応（化学吸着）して発熱する。また、水（又は水蒸気）が化学吸着された蓄熱材１１ｃは、高温となった排気ガスにより熱交換部１１ｂを介して加熱されると、その熱を吸熱して水蒸気を放出する。
【００３１】
蓄熱材１１ｃとしては、水と化学反応（水和反応）して発熱する材料が用いられ、例えば、酸化カルシウム（ＣａＯ）が用いられる。酸化カルシウムは、水との反応性に優れ、水と化学反応したときの発熱量も多い。酸化カルシウムの場合、下記の式（１）の左辺から右辺への水和反応となる。この水和反応により、各触媒４，６，７を活性温度まで十分に昇温できる熱を発生させる。また、酸化カルシウムの場合、式（１）の右辺から左辺への脱水反応となる。この脱水反応には、４００℃以上での加熱が必要になる。なお、蓄熱材１１ｃとしては、酸化カルシウム以外にも、塩化カルシウム（Ｃａｃｌ２）、臭化カルシウム（ＣａＢｒ２）などの材料が用いられてもよい。
ＣａＯ＋Ｈ２Ｏ⇔Ｃａ（ＯＨ）２＋熱・・・（１）
【００３２】
貯蔵器１２について説明する。貯蔵器１２は、水を貯蔵する容器である。貯蔵器１２は、車両Ｖ内において熱交換部付き反応器１１よりも高い所定の箇所（上側）に配置されている。化学蓄熱装置１０は非循環系システムであるので、貯蔵器１２には水が戻されない。したがって、貯蔵器１２の貯水量が少なくなると、貯蔵器１２に水を補給する必要がある。そのために、貯蔵器１２には、給水管１２ａの一端部が取り付けられている。給水管１２ａの他端部は、車両Ｖの端部に設けられている給水口１２ｂに取り付けられている。給水口１２ｂは、貯蔵器１２よりも高い所定の箇所に配置されている。貯蔵器１２の貯水量が少なくなった場合、給水口１２ｂから貯蔵器１２に水が補給される。なお、貯蔵器１２の水の貯水量を検出するセンサを備え、その検出した貯水量を示す貯水量メータ等を車内に設けるようにしてもよい。
【００３３】
接続管１３について説明する。接続管１３は、熱交換部付き反応器１１と貯蔵器１２とを接続する管である。接続管１３は、熱交換部付き反応器１１と貯蔵器１２との間で水を流通させる流路となる。接続管１３の一端部は、熱交換部付き反応器１１の上端面に取り付けられている。接続管１３の他端部は、貯蔵器１２の下端面に取り付けられている。
【００３４】
第１開閉弁１４について説明する。第１開閉弁１４は、熱交換部付き反応器１１と貯蔵器１２との間の水の流路を開閉する開閉弁である。第１開閉弁１４は、接続管１３の途中に配設されている。第１開閉弁１４が開かれると、接続管１３を介して貯蔵器１２と熱交換部付き反応器１１とが連通し、貯蔵器１２から熱交換部付き反応器１１に水を供給できる。第１開閉弁１４が閉じられると、貯蔵器１２と熱交換部付き反応器１１とが非連通となる。第１開閉弁１４の開閉制御は、化学蓄熱装置１０の専用のコントローラあるいはエンジン２を制御するＥＣＵ[Electronic Control Unit]などで行われる。第１開閉弁１４は、例えば、電磁式のノーマリクローズの開閉弁であり、電圧印加時に開く。
【００３５】
排出管１５について説明する。排出管１５は、熱交換部付き反応器１１で発生した水蒸気を車両Ｖの外部に排出する管である。排出管１５は、水蒸気（又は水蒸気が液化した水）を流通させる流路となる。排出管１５の一端部は、熱交換部付き反応器１１の下端面に取り付けられている。排出管１５内を流れる水蒸気は、冷やされて液化し、水になる場合がある。この水が、排出管１５内を逆流し、熱交換部付き反応器１１に戻らないようにする必要がある。そこで、排出管１５は、車両Ｖにおける熱交換部付き反応器１１よりも低い所定の箇所において下向きに排出するように取り付けられている。
【００３６】
第２開閉弁１６について説明する。第２開閉弁１６は、熱交換部付き反応器１１で発生した水蒸気の流路を開閉する開閉弁である。第２開閉弁１６は、排出管１５の途中に配設されている。第２開閉弁１６が開かれると、排出管１５を介して熱交換部付き反応器１１の内部と車両Ｖの外部とが連通し、熱交換部付き反応器１１から水蒸気又は水を車両Ｖの外部に排出できる。第２開閉弁１６が閉じられると、熱交換部付き反応器１１の内部と車両Ｖの外部とが非連通となる。第２開閉弁１６の開閉制御は、第１開閉弁１４と同じ制御装置で行われる。第２開閉弁１６は、例えば、電磁式のノーマリクローズの開閉弁であり、電圧印加時に開く。
【００３７】
このように構成された化学蓄熱装置１０の動作について説明する。この化学蓄熱装置１０では、エンジン２から排出された排気ガスの温度が所定温度（触媒の活性温度に基づいて設定された温度）より低いときに（例えば、エンジン２の始動直後）、ＥＣＵなどによる制御により第１開閉弁１４が開かれる。これにより、貯蔵器１２と熱交換部付き反応器１１とは、接続管１３によって連通される。貯蔵器１２は熱交換部付き反応器１１よりも高い位置に配置されているので、貯蔵器１２が貯蔵されている水が、重力により接続管１３内を流れて熱交換部付き反応器１１側に移動し、熱交換部付き反応器１１に供給される。熱交換部付き反応器１１では、供給された水が各蓄熱材１１ｃにそれぞれ分配される。蓄熱材１１ｃは鉛直方向に沿って延在しているので、分配された水は、重力により流路内を下方に流れ、蓄熱材２４全体に行き渡る。各蓄熱材１１ｃは、水と化学反応し、熱を発生させる（水和反応、発熱反応）。この際、供給された水が、加熱されて気化し、水蒸気となる場合がある。この場合、各蓄熱材１１ｃは、水蒸気と化学反応し、熱を発生させる。この各蓄熱材１１ｃで発生した熱は、各熱交換部１１ｂに伝導される。各熱交換部１１ｂでは、蓄熱材１１ｃからの熱を排気ガスに与える。即ち、熱交換部１１ｂは、蓄熱材１１ｃと排気ガスとの間で熱交換する。これにより、排気ガスが、昇温する。この化学蓄熱装置１０により昇温された排気ガスが下流側に流れることで、各触媒（ＤＯＣ４、ＳＣＲ６、ＡＳＣ７）が暖機される。これにより、各触媒は、迅速に活性温度以上に昇温される。暖機が終了すると、ＥＣＵなどによる制御により第１開閉弁１４が閉じられる。
【００３８】
暖機終了後、エンジン２の稼働がある程度継続すると、エンジン２から排出された排気ガスの温度が高くなる。この温度が高くなった排気ガスの熱（廃熱）は、各熱交換部１１ｂに伝導される。この排気ガスの熱で加熱された各熱交換部１１ｂにより、蓄熱材１１ｃが加熱される。即ち、熱交換部１１ｂは、排気ガスと蓄熱材１１ｃとの間で熱交換する。蓄熱材１１ｃの温度が高温（例えば、４００℃以上）になると、水を化学吸着している蓄熱材１１ｃは、排ガスの熱を吸熱して水蒸気を放出する（脱水反応、吸熱反応）。これにより、熱交換部付き反応器１１内では、水蒸気が発生する。このとき、ＥＣＵなどによる制御により、第２開閉弁１６が開かれる。これにより、熱交換部付き反応器１１内で発生した水蒸気は、排出管１５内を流れ、車両Ｖ（化学蓄熱装置１０）の外部に排出される。この際、排出管１５内を流れる水蒸気が、冷やされて液化し、水になる場合がある。この場合でも、排出管１５が熱交換部付き反応器１１よりも低い位置に下向きになるように取り付けられているので、液化した水が、排出管１５内を逆流して熱交換部付き反応器１１に戻るようなことはない。排気ガスの温度（蓄熱材１１ｃの温度）が低くなると、ＥＣＵなどによる制御により第２開閉弁１６が閉じられる。
【００３９】
この化学蓄熱装置１０では、水（液体）と水和反応して発熱する蓄熱材１１ｃを用いているので、貯蔵器１２に貯蔵されている水を蒸発させて熱交換部付き反応器１１に供給する必要がない。したがって、化学蓄熱装置１０では、蒸発器が不要である。また、化学蓄熱装置１０では、貯蔵器１２が熱交換部付き反応器１１よりも高い位置に配置されているので、重力を利用して水を貯蔵器１２から熱交換部付き反応器１１に供給できる。したがって、化学蓄熱装置１０では、水を送り込むポンプ等が不要である。また、化学蓄熱装置１０では、熱交換部付き反応器１１で発生した水蒸気を外部に排出する非循環システムであるので、水蒸気を凝縮して貯蔵器に戻す必要がない。したがって、化学蓄熱装置１０では、凝縮器が不要である。これらにより、この化学蓄熱装置１０は、簡易な装置構成となり、装置全体を小型化できる。
【００４０】
化学蓄熱装置１０では、熱交換部付き反応器１１に排出管１５が取り付けられているので、熱交換部付き反応器１１で発生した水蒸気を排出管１５により適切な箇所に排出できる。また、化学蓄熱装置１０では、排出管１５が熱交換部付き反応器１１よりも低い箇所に下方に向けて排出するように取り付けられているので、熱交換部付き反応器１１で発生した水蒸気が液化して水になった場合でも、水が逆流して熱交換部付き反応器１１に戻ることなく、水を外部に排出できる。
【００４１】
化学蓄熱装置１０では、蓄熱材１１ｃが鉛直方向に沿って延在するように配置されていているので、熱交換部付き反応器１１の上端部に供給された水が下方に流れ、蓄熱材１１ｃ全体に水を行き渡らせ易い。
【００４２】
化学蓄熱装置１０では、排気ガスと蓄熱材１１ｃとの間で熱交換を行う熱交換部１１ｂを備えているので、蓄熱材１１ｃが発熱した場合にその熱を熱交換部１１ｂにより効率良く排気ガスに伝えることができる。また、化学蓄熱装置１０では、複数個の蓄熱材１１ｃと複数個の熱交換部１１ｂとが交互に配置されているので、熱交換部１１ｂでの熱交換効率が向上し、熱交換部付き反応器１１での加熱効率が向上する。
【００４３】
以上、本発明の実施形態について説明したが、上記実施形態に限定されることなく様々な形態で実施される。
【００４４】
例えば、上記実施形態では車両のディーゼルエンジンから排出される排気ガスを加熱する化学蓄熱装置に適用したが、特にこれに限られず、ガソリンエンジンから排出される排気ガスを加熱する化学蓄熱装置などに適用してもよい。また、排気ガス以外にも、気体状または液体状の流体（例えば、オイル、水、空気、水蒸気）を加熱する化学蓄熱装置に適用してもよい。また、車両以外にも、ごみ焼却工場、発電所、各種プラント工場などの廃熱を回収できるものに適用してもよい。
【００４５】
また、上記実施形態ではＤＯＣの上流側に熱交換部付き反応器を配置させ、熱交換部を介して加熱する構成としたが、熱交換部を用いずに他の箇所に反応器を配置して加熱してもよく、例えば、ＤＯＣ、ＳＣＲ、ＡＳＣのうちのいずれかの触媒の外周部などに反応器を配置させてもよい。また、上記実施形態では蓄熱材と熱交換部とを交互に配置した構成の熱交換部付き反応器としたが、反応器の構成、形状などについては特にこれに限られず、例えば、略円柱形状の熱交換部を取り囲む断面環状の容器に蓄熱材が収容された反応器としてもよい。
【００４６】
また、上記実施形態では熱交換部付き反応器の下端部に排気管が取り付けられ、排気管を用いて水蒸気を車両の外部に排出する構成としたが、反応器が配置される位置によっては排気管を用いずに外部に排出する構成としてもよい。例えば、反応器が車体の下端部に配置され、反応器から水蒸気を外部に直接排出できる場合には、反応器の下端面に形成された貫通孔に第２開閉弁を設け、第２開閉弁が開かれたときに反応器から水蒸気を外部に直接排出する。
【００４７】
また、上記実施形態では蓄熱材が鉛直方向に沿って延在するように配置される構成としたが、蓄熱材が鉛直方向以外の方向に沿って配置されてもよい。但し、反応器の上端部から供給された水が下方に流れるように、蓄熱材を水平方向に対して所定角度傾けた方向に沿って配置させるとよい。
【００４８】
また、上記実施形態では給水口に繋がる給水管が貯蔵器に取り付けられ、人が手動で貯蔵器に水を補給する構成としたが、水の補給方法はこれに限定されず、例えば、雨水などを集める部材を設け、その部材に繋がる給水管が貯蔵器に取り付けられ、自動で貯蔵器に水を補給する構成としてもよい。また、貯蔵器が車体の側端部等に配置され、貯蔵器に水を直接補給できる場合には貯蔵器に給水口を設ける構成としてもよい。
【符号の説明】
【００４９】
１…排気ガス浄化システム、２…エンジン、３…排気管、４…ＤＯＣ、５…ＤＰＦ、６…ＳＣＲ、７…ＡＳＣ、１０…化学蓄熱装置、１１…熱交換部付き反応器、１１ａ…容器、１１ｂ…熱交換部、１１ｃ…蓄熱材、１１ｄ…配列体、１１ｅ…貫通孔、１１ｆ…フィン、１２…貯蔵器、１２ａ…給水管、１２ｂ…給水口、１３…接続管、１４…第１開閉弁、１５…排出管、１６…第２開閉弁、２０，２１…テーパ管。
【図１】
2016194391.tif 000003
【図２】
2016194391.tif 000004